(57)【特許請求の範囲】
【請求項１】
互いに隣接する光合分波器間が，途中に光中継器が置かれる上りと下りの波長多重伝送路で接続された複数の光合分波器と，
前記複数の光合分波器のそれぞれに，途中に光中継器が置かれる上りと下りの波長多重伝送路で接続された複数の端末と，
前記複数の端末のそれぞれは，前記上りと下りの波長多重伝送路を通して入力される一の端局から送られる前記光中継器の監視を行う監視制御信号を更に他の端局に転送する転送回路を備え，
前記複数の光合分波器に，前記上りと下りの波長多重伝送路を通して前記複数の端末をループするように信号光の波長に対する伝送経路が設定され，
前記他の端局において，前記一の端局から転送された監視制御信号で信号光を変調し，前記他の端局と更に別の他の端局間について前記信号光の波長に対して設定された伝送経路により，前記光合分波器を通して前記更に別の他の端局に前記監視制御信号を転送するように構成されたことを特徴とする波長多重通信ネットワークの監視制御システム。
【請求項２】
互いに隣接する光合分波器間が，途中に光中継器が置かれる上りと下りの波長多重伝送路で接続された複数の光合分波器と，
前記複数の光合分波器のそれぞれに，途中に光中継器が置かれる上りと下りの波長多重伝送路で接続された複数の端末と，
前記複数の端末のそれぞれは，前記上りと下りの波長多重伝送路を通して入力される一の端局から送られる前記光中継器の監視を行う監視制御信号を更に他の端局に転送する転送回路を備え，
前記複数の光合分波器に，前記上りと下りの波長多重伝送路を通して前記複数の端末をループするように信号光の波長に対する伝送経路が設定され，
前記他の端局において，前記一の端局から転送された監視制御信号を所定の信号光に重畳し，前記他の端局と更に別の他の端局間について前記信号光の波長に対して設定された伝送経路により，前記光合分波器を通して前記更に別の他の端局に前記監視制御信号が重畳された信号光を転送するように構成されたことを特徴とする波長多重通信ネットワークの監視制御システム。
【請求項３】
請求項１又は２において，
前記一の端局において，前記ループを一循した前記監視制御信号により前記上りと下りの波長多重伝送路の途中に置かれる光中継器の監視情報を得ることを特徴とする波長多重通信ネットワークの監視制御システム。
【請求項４】
請求項１又は２において，
前記監視制御信号で変調される信号光が，前記監視制御信号と異なる主信号光であることを特徴とする波長多重通信ネットワークの監視制御システム。
【請求項５】
請求項１において，
前記他の端局は，前記一の端局から送られた前記監視制御信号で変調された少なくとも１つの波長の信号光を光電変換して前記監視制御信号を再生し，該再生された監視制御信号で前記少なくとも１つの波長と異なる波長の信号光を変調することを特徴とする波長多重通信ネットワークの監視制御システム。
【請求項６】
請求項１又は２において，
前記他の端局は，前記監視制御信号により転送の要否を判断し，転送の必要のない場合は，前記監視制御信号の転送を行わない様にすることを特徴とする波長多重通信ネットワークの監視制御システム。
【請求項７】
請求項１又は２において，
前記監視制御信号は，いずれの端局からいずれの光中継器に送られた信号であるかを識別する識別情報を含み，
前記他の端局は，前記監視制御信号の識別情報を読み取り，信号を送出する方向に該当の光中継器が存在する場合には前記監視制御信号を転送し，該当の光中継機が存在しない場合は，前記監視制御信号の転送を行わないことを特徴とする波長多重通信ネットワークの監視制御システム。
【発明の詳細な説明】
【０００１】
【発明の属する技術分野】
本発明は、波長多重（ＷＤＭ）技術を応用した光通信ネットワークにおける光増幅中継器の監視を行うための監視制御システムに関する。
【０００２】
【従来の技術】
近年、波長多重（ＷＤＭ）技術を応用した光通信ネットワークの研究開発が活発化している。そしてかかる光通信ネットワークにおいては、波長多重された光信号により大容量伝送を可能とする。
【０００３】
一方、光増幅中継器の障害は光通信ネットワークにとって重大である。そのために光増幅中継器を用いた光伝送システムでは、光増幅中継器の状態を監視する手段が必要となる。
【０００４】
ここで監視すべき光増幅中継器の状態とは、▲１▼光入出力電力  ▲２▼励起パワー  ▲３▼励起レーザダイオード（ＬＤ）の温度  ▲４▼励起ＬＤのバイアス電流等である。
【０００５】
従来の光伝送システムでは、主として図２０に示すように一の端局Ａから他の端局Ｂを複数の光中継増幅器ＲＥＰ１〜ＲＥＰ４を通して１対１に結ぶポイント・ツー・ポイント（POINT TO POINT）型の伝送路構成が取られてきた。
【０００６】
この様な光伝送システムにおける監視制御システムでは、端局Ａから光増幅中継器ＲＥＰ１に監視制御信号（光増幅中継器に対するコマンド信号）を送信する。監視制御信号を受信した光増幅中継器ＲＥＰ１は、受信した監視制御信号に対応する制御を行うと共に、当該光増幅中継器の状態情報を含んだ応答信号を監視制御信号と共に端局Ｂに向け、隣接の光増幅中継器ＲＥＰ２に送る。このようにして順次に監視制御信号が送られる。
【０００７】
ここで監視制御信号及び応答信号を光増幅中継器へ送信する方式として、▲１▼伝送するデータ信号 (主信号) に監視制御信号（光増幅中継器を制御するためのコマンド信号）を重畳させる重畳方式  ▲２▼主信号と異なる波長の監視制御信号を波長多重する波長多重方式がある。
【０００８】
図２１は、重畳方式における光増幅中継器の一動作例を説明する図である。図２１（ａ）に示すように、例えば２．５〜２０Ｇｂ／ｓの主信号Ｍを１〜数１０ＭＨｚの監視制御信号ＳＶで変調して重畳信号が生成され、光ファイバ伝送路ＯＰに送られる。
【０００９】
光増幅中継器では、図２１（ｂ）に示すように、分岐手段ＢＲにより監視制御信号ＳＶにより主信号Ｍを強度変調した光信号を分岐する。分岐された光信号は、フォトダイオード等の受光素子ＰＤにより電気信号に変換される。
【００１０】
受光素子ＰＤにより変換された電気信号は、フィルタＦＩＬにより監視制御信号ＳＶのみが抽出され、制御回路ＣＯＮＴに導かれる。制御回路ＣＯＮＴでは抽出された監視制御信号ＳＶに基ずき光増幅中継器に対する制御を行うと共に、当該光増幅中継器の状態に対応する、所定周波数の応答信号ＳＶ’を出力する。この応答信号ＳＶ’により励起レーザダイオードＬＤを駆動する。
【００１１】
ここで、光ファイバ増幅器ＡＭＰの利得は、励起パワーに比例する。したがって、応答信号ＳＶ’に比例する励起パワーが励起レーザダイオードＬＤから出力され、光ファイバ増幅器ＡＭＰに入力される光信号は、応答信号ＳＶ’に比例して強度変調される。この動作により光増幅中継器から応答信号ＳＶ’を、図２１（ｃ）に示すように入力される主信号Ｍと監視制御信号ＳＶに重畳して、次の光増幅中継器に送出することが可能となる。
【００１２】
又、図２２は、主信号Ｍと異なる波長の監視制御信号ＳＶを波長多重する方式における光増幅中継器の一動作例を説明する図である。図２２（ａ）は、光スペクトラムであり、主信号Ｍの波長と異なる波長の監視制御信号ＳＶを波長多重していることが示される。
【００１３】
図２２（ｂ）に示されるように、この波長多重された光信号が入力され、分岐手段ＢＲで分岐され、フィルタＦＩＬで監視制御信号ＳＶが抽出される。抽出された監視制御信号ＳＶは、監視制御信号受信回路ＳＶＲＥＣに導かれ光電変換され、復調される。
【００１４】
そして、図２１の例と同様に、復調された監視制御信号ＳＶに応じて、当該光増幅中継器を制御するとともに、その状態に対応する、所定周波数の応答信号ＳＶ’を出力する。この応答信号ＳＶ’により励起レーザダイオードＬＤを駆動する。
【００１５】
応答信号ＳＶ’に比例する励起パワーが励起レーザダイオードＬＤから出力され、光ファイバ増幅器ＡＭＰの入力光信号は、応答信号ＳＶ’に比例して強度変調される。この動作により光増幅中継器から応答信号ＳＶ’を主信号Ｍ及び監視制御信号ＳＶとともに、次の光増幅中継器に送出することが可能となる。
【００１６】
図２３は、波長多重（ＷＤＭ）技術を用いてネットワーク化された光伝送システム（ＷＤＭネットワークシステム）の一例を示す図である。伝送路には上りと下りの通信回線用に少なくとも一対の光ファイバペアケーブルＯＰＣを用い、その損失を補償するために複数の光増幅中継器ＲＥＰが配置される。
【００１７】
複数の光増幅中継器ＲＥＰの各々は、上下回線用に二つの光増幅器ＦＦ，ＦＲを備えている。更に、図２３の構成において、端局Ａ、Ｄ間には光合分波装置ＯＳＥＰが配置され、これに信号の分岐、挿入を行う端局Ｂ、Ｃが接続される。端局Ａ、Ｂ、Ｃ、Ｄの各々からは、波長の異なる複数の信号光が波長多重されて、ＷＤＭ信号として一本の光ファイバに送出される。
【００１８】
このＷＤＭ信号は、例えば端局Ａから送出され、光合分波装置ＯＳＥＰによって波長毎にその出力経路が振り分けられ、対応する受信端局Ｂ，Ｃ，あるいはＤへ送られる。即ち、図２３のシステムでは、各通信経路に対して異なる信号波長が割り当てられる。
【００１９】
図２４は、ネットワークをリング状に構成した例である。かかる例においても図２３と同様に伝送路には上りと下りの通信回線用に少なくとも一対の光ファイバペアケーブルＯＰＣを用い、その損失を補償するために複数の光増幅中継器ＲＥＰが配置される。ＷＤＭ信号は、光合分波装置ＯＳＥＰによって波長毎にその出力経路が振り分けられ、対応する受信端局へ送られる。
【００２０】
かかる図２３、図２４に示すＷＤＭネットワークでは、次のような特徴を有する。▲１▼一本のファイバ中を波長の異なる複数の信号光（ＷＤＭ信号）が通過する。▲２▼光分岐装置ＯＳＥＰにより伝送路中で主信号（ＷＤＭ信号）が合分波される。▲３▼１システム内に複数の端局が存在し、これらを結ぶ複数の通信経路（光経路）が存在する。
【００２１】
【発明が解決しようとする課題】
しかし乍ら、先に図２１、図２２により説明した監視制御信号の送受信方式をこの様な図２３、図２４のシステムに適用する場合は、例えば次の様な問題が生ずる。
Ａ．重畳方式をＷＤＭネットワークに適用した場合の問題点：
▲１▼ある波長の信号光に監視制御信号を重畳したとしても、その信号光が全ての伝送路を通過しない場合がある。このために、一つの端局からネットワーク中の全部の中継増幅器に監視制御信号を送ることは出来ない。
【００２２】
例えば、図２３に対応して示される図２５において、上下回線の内、片側回線のみを示しているが、端局Ａから波長Ｗ3 に監視制御信号を重畳し、送信したとしても、その監視制御信号の通過経路は端局Ａ−Ｃ間に配置されている中継増幅器ＲＥＰにしか監視制御信号を送信できない。
【００２３】
▲２▼また監視制御信号で変調された信号光と異なる波長の信号光電力が大きいため、全信号光電力における監視制御信号電力の割合が低下し、受信電力が一波伝送時よりも低下する。
Ｂ．波長多重方式を用いた場合の問題点：
▲１▼主信号伝送用に形成されている通信経路を監視制御信号専用の通信経路として流用する場合にも、上記Ａ▲１▼と同様の問題が生じる。又、監視制御専用に端局と全ての中継器を結ぶ通信経路を形成する場合は、監視制御専用に複数の波長の信号光が必要である。
【００２４】
例えば、図２６に示す例では、図２５と同様に上下回線の内、片側回線のみを示しているが、端局Ａから端局Ａ−Ｂ、Ａ−Ｃ、Ａ−Ｄ間の全ての中継器ＲＥＰに監視制御信号を送る場合には、少なくとも三波長Ｗ1 〜Ｗ3 が必要となる。これに対して、図２７の様に監視制御用の信号光を分岐する方法もあるが、端局数と同数の波長が必要である。このため伝送帯域を有効に利用出来ないという問題がある。
【００２５】
また、中継器における監視制御信号の受信電力を向上させるため、中継器の監視制御信号受信部に光フィルタを用い、監視制御信号用の信号光だけを抽出する場合がある。しかしながら、上記の様に複数の波長が監視制御信号で変調されている場合には、この方法を用いることが出来ない。
【００２６】
▲２▼更に、波長多重方式を用いた場合も上記Ａ▲２▼と同様の問題が生じる。従って、本発明の目的は以下のような条件を満足する波長多重通信ネットワークの監視制御システムを提供することにある。
【００２７】
第１に中継器における監視制御信号の受信電力が高いこと。すなわち、中継器にとって監視制御信号の受信が容易であること、第２に主信号に影響が無いこと、第３に端局から任意の中継器を監視できること、更に信号伝送帯域が有効に利用されることである。
【００２８】
【課題を解決するための手段】
波長多重通信ネットワークを採用する場合の上記課題を達成する本発明に従う波長多重通信ネットワークの監視制御システムの第１の構成は、少なくとも１つの光合分波器と、該少なくとも１つの光合分波器に光伝送路を通して接続される複数の端局と、該光伝送路上に置かれる複数の光中継器を有し、該複数の端局の第１の端局から送られる該光中継器に対する監視制御信号を、第２の端局が該光合分波器を通して受信し、且つ該受信した監視制御信号を該光合分波器を通して第３の端局に転送する様に構成されたことを特徴とする。
【００２９】
本発明に従う波長多重通信ネットワークの監視制御システムの第２の構成は、第１の構成において、前記第１の端局は前記監視制御信号を、主信号データ用に割り当てられた通信回線を利用して、前記第２の端局に送り、該監視制御信号を受信した該第２の端局は、該監視制御信号により少なくとも１波長の信号光を変調し、該変調された少なくとも１波長の信号光を他の信号光と合波して該主信号データ用に割り当てられた通信回線を利用して、第３の端局に転送することを特徴とする。
【００３０】
更に、本発明に従う波長多重通信ネットワークの監視制御システムの第３の構成は、第１の構成において、前記第１の端局は前記監視制御信号で、少なくとも１つの波長の信号光を変調し、該変調された信号光を含む複数の波長の信号光を波長多重して前記第２の端局に送り、該第２の端局は、受信した信号光から波長選択して該監視制御信号を受信し、且つ受信した該監視制御信号で少なくとも１つの波長の信号光を変調し、該変調された信号光を含む複数の波長の信号光を波長多重して前記第３の端局に転送することを特徴とする。
【００３１】
また、本発明に従う波長多重通信ネットワークの監視制御システムの第４の構成は、第１の構成において、前記第１の端局は前記監視制御信号で、少なくとも１つの波長の信号光を変調し、前記第２の端局に送り、該第２の端局は、受信した該信号光の波長を異なる波長に変換して、前記第３の端局に転送することを特徴とする。
【００３２】
更にまた、本発明に従う波長多重通信ネットワークの監視制御システムの第５の構成は、第３の構成において、前記第２の端局は、前記第１の端局から送られた前記監視制御信号で変調された少なくとも１つの波長の信号光を光電変換して該監視制御信号を再生し、該再生された監視制御信号で該少なくとも１つの波長と異なる波長の信号光を変調することを特徴とする。
【００３３】
更に、本発明に従う波長多重通信ネットワークの監視制御システムの第６の構成は、第３の構成において、前記第２の端局は、前記監視制御信号により転送の要否を判断し、転送の必要の無い場合に、該監視制御信号の転送を行わないようにすることを特徴とする。
【００３４】
又、本発明に従う波長多重通信ネットワークの監視制御システムの第７の構成は、第６の構成において、前記監視制御信号は、いずれの端局からいずれの光中継器に送られた信号であるかを識別する識別情報を含み、前記第２の端局は、該監視制御信号の該識別情報を読みとり、信号を送出する方向に該当の光中継器が存在する場合には該監視制御信号を転送し、該当の中継器が存在しない場合は、該監視制御信号の転送を行わないことを特徴とする。
【００３５】
更にまた、本発明に従う波長多重通信ネットワークの監視制御システムの第８の構成は、第１又は３の構成において、前記第１の端局から送出される前記監視制御信号が前記複数の光中継器を通過するように、光経路の組合せが形成されていることを特徴とする。
【００３６】
更に、本発明に従う波長多重通信ネットワークの監視制御システムの第９の構成は、第１、第２の端局、該第１、第２の端局を結ぶ第１の光伝送路、該第１の光伝送路中に設けた少なくとも１つの光合分波器、該少なくとも１つの光合分波器にそれぞれ第２の光伝送路を通して接続される少なくとも１つの第３の端局及び、該第１及び第２の光伝送路に配置された光中継器を有し、更に該第１、第２の端局及び該少なくとも１つの第３の端局間で光波長多重通信を行う波長多重通信ネットワークにおいて、該第１の端局は、隣接する該第３の端局の１つに、該光中継器に対する監視制御信号を重畳した光信号を送り、該第３の端局は、順次隣接する端局に該監視制御信号を重畳した光信号を転送し、更に、該第３の端局の最終の端局から隣接する該第２の端局に該監視制御信号を重畳した光信号を転送し、更に、該第２の端局は、該第１の端局に該監視制御信号を重畳した光信号を送る様に光経路が形成されたことを特徴とする。
【００３７】
又、本発明に従う波長多重通信ネットワークの監視制御システムの第１０の構成は、第９の構成において、前記第１、第２の端局及び少なくとも１つの第３の端局間を通過する前記監視制御信号を重畳した光信号は、同一波長の光信号であることを特徴とする。
【００３８】
更にまた、本発明に従う波長多重通信ネットワークの監視制御システムの第１１の構成は、第１、第２の端局、該第１、第２の端局を結ぶ第１の上りと下りの光伝送路、該第１の上りと下りの光伝送路中に設けた少なくとも１つの光合分波器、該少なくとも１つの光合分波器にそれぞれ第２の上りと下りの光伝送路を通して接続される少なくとも１つの第３の端局及び、該第１及び第２の上りと下りの光伝送路に配置された光中継器を有し、更に該第１、第２の端局及び該少なくとも１つの第３の端局間で光波長多重通信を行う波長多重通信ネットワークにおいて、該第１、第２の端局及び該少なくとも１つの第３の端局のそれぞれは、該少なくとも１つの光合分波器を通して隣接する端局に、対応する上りと下りの光伝送路を通過する経路により該光中継器に対する監視制御信号を重畳した光信号を送ることを特徴とする。
【００３９】
更に、本発明に従う波長多重通信ネットワークの監視制御システムの第１２の構成は、第１１の構成において、前記第２の端局及び前記少なくとも１つの第３の端局は、入力された前記監視制御信号の光波長を入力波長と異なる波長で出力することを特徴とする。
【００４０】
又、本発明に従う波長多重通信ネットワークの監視制御システムの第１３の構成は、第１の端局と、該第１の端局から送られる光信号を光合分波する光合分波装置と、該光合分波装置により分岐される該光信号を受信する第２、第３の端局と、該第１の端局から該光合分波装置に至り、且つ該光合分波装置から分岐されて該第２、第３の端局にそれぞれ至る第１の光経路と、該第２、第３の端局のそれぞれから該光合分波装置に至り、且つ該光合分波装置により合成されて、該第１の端局に至る第２の光経路を形成し、該形成された第１、第２の光経路に監視制御信号で変調された信号光を通過させることを特徴とする。
【００４１】
更に、本発明に従う波長多重通信ネットワークの監視制御システムの第１４の構成は、第１、第２の端局と、該第１、第２の端局間を結ぶ上りと下りの光伝送路中に設けた少なくとも１つの第１の光合分波器と、該少なくとも１つの第１の光合分波器にそれぞれ上りと下りの光伝送路を通して接続される少なくとも１つの第３の端局を有する第１の経路と、第４、第５の端局と、該第４、第５の端局間を結ぶ上りと下りの光伝送路中に設けた少なくとも１つの第２の光合分波器と、該少なくとも１つの第２の光合分波器にそれぞれ上りと下りの光伝送路を通して接続される少なくとも１つの第６の端局を有する第２の経路を有し、該第１の経路及び、該第２の経路で光波長多重通信を行う光波長多重通信ネットワークにおいて、該第１の端局は、隣接する該第３の端局の１つに、監視制御信号を重畳した光信号を送り、該第３の端局は、順次隣接する端局に該監視制御信号を重畳した光信号を転送し、更に、該第３の端局の最終の端局から隣接する該第２の端局に該監視制御信号を重畳した光信号を転送し、該第２の端局は、該４の端局に該監視制御信号を重畳した光信号を送り、該該第４の端局は、隣接する該第６の端局の１つに、監視制御信号を重畳した光信号を送り、該第６の端局は、順次隣接する端局に該監視制御信号を重畳した光信号を転送し、更に、該第６の端局の最終の端局から隣接する該第５の端局に該監視制御信号を重畳した光信号を転送する様に光経路が形成されていることを特徴とする。
【００４２】
又、本発明に従う波長多重通信ネットワークの監視制御システムの第１５の構成は、第１４の構成において、該端局間を通過する該監視制御信号を重畳した光の波長を同一の波長の光とすることを特徴とする。
【００４３】
更に、本発明に従う波長多重通信ネットワークの監視制御システムの第１６の構成は、光伝送路によりリング上に接続された複数の光合分波器と、該複数の光合分波器のそれぞれに接続された複数の端局を有し、該端局問で光波長多重を行う波長多重通信システムにおいて、監視制御信号を重畳した光が、該複数の光合分波器を通して、隣接する該複数の端局間を通過する様に光経路が形成されていることを特徴とする。
【００４４】
更に、本発明に従う波長多重通信ネットワークの監視制御システムの第１７の構成は、第１６の構成において、前記監視制御信号を重畳した光は各端局問で同じ波長の光を用いることを特徴とする。
【００４５】
又、本発明に従う波長多重通信ネットワークの監視制御システムの第１８の構成は、該複数の光合分波器のそれぞれに接続された複数の端局と、該複数の光合分波器を上り光伝送路と下り光伝送路によりそれぞれリング状に接続し、該各端局間で光波長多重通信を行う波長多重通信システムに於いて、該監視制御信号を重畳した光信号を、該光合分波器を介して隣接する該端局間を上り光伝送路で接続した経路と、該光合分波器を介して隣接する該端局間を下り光伝送路で接続した経路に流すことを特徴とする波長多重ネットワークの監視制御システム。
【００４６】
更に、本発明に従う波長多重通信ネットワークの監視制御システムの第１９の構成は、第１８の構成において、該上り光伝送路を流れる該監視制御信号の波長と該下り光伝送路を流れる光の波長が異なる波長であることを特徴とする。
【００４７】
又、本発明に従う波長多重通信ネットワークの監視制御システムの第２０の構成は、複数の光合分波器と、該複数の光合分波器のそれぞれに接続された複数の端局と、該複数の光合分波器を上り光伝送路と下り光伝送路によりそれぞれリング状に接続し、該各端局間で光波長多重通信を行う波長多重通信システムに於いて、隣接する２端局を結ぶ上りと下りの光経路を形成し、該上りと下りの経路を異なるファイバに割当て、且つ該光経路に監視制御信号で変調された光主信号を通過させることを特徴とする。
【００４８】
更にまた、本発明に従う波長多重通信ネットワークの監視制御システムの第２１の構成は、第２０の構成において、監視制御信号伝送用に選ばれた２Ｎ個の光経路の信号波長を同一の波長とすることを特徴とする。
【００４９】
更に、本発明に従う波長多重通信ネットワークの監視制御システムの第２２の構成は、第１乃至２１の構成のいずれかにおいて、監視制御用の信号光は、データ信号で変調されており、監視制御信号が該データ信号に重畳されていることを特徴とする。
【００５０】
又、本発明に従う波長多重通信ネットワークの監視制御システムの第２３の構成は、第１乃至２１の構成のいずれかにおいて、監視制御用の信号光は、監視制御信号専用であることを特徴とする。
【００５１】
更に又、本発明に従う波長多重通信ネットワークの監視制御システムの請求項２４は、第１乃至２１の構成のいずれかにおいて、中継器の監視制御信号受信部が、監視制御信号で変調された信号光のみを透過するフィルタを有していることを特徴とする。
【００５２】
更に、本発明に従う波長多重通信ネットワークの監視制御システムの第２５の構成は、第１、２又は３の構成において、光中継器が複数の光増幅器から構成され、それぞれの光増幅器は、監視制御信号を受信した一の光増幅器が他の光増幅器に監視制御信号を転送する機能を有することを特徴とする。
【００５３】
又、本発明に従う波長多重通信ネットワークの監視制御システムの第２６の構成は、第１１の構成において、少なくとも１つの光合分波器と、該少なくとも１つの光合分波器に光伝送路を通して接続される複数の端局と、該光伝送路上に置かれる複数の光中継器を有し、該複数の端局の第１の端局から送られる該光中継器に対する監視制御信号を、第２の端局が該光合分波器を通して受信し、且つ該受信した監視制御信号を該光合分波器を通して第３の端局に転送する様に構成されたことを特徴とする該端局間を通過する該監視制御信号の光波長は総ての端局で同じ波長を用いることを特徴とする。
【００５４】
更に、本発明に従う波長多重通信ネットワークの監視制御システムの第２７の構成は、第１８の構成において、該上り光伝送路を流れる該監視制御信号の光波長と、該下り光伝送路を流れる該監視制御信号は同一の光波長を用いることを特徴とする。
【００５５】
又、本発明の波長多重通信ネットワークの監視制御システムの第２８の構成は、第１乃至２７の構成のいずれかにおいて、監視すべき中継器の配置位置に応じて監視制御信号で変調される信号波長が切換可能であることを特徴とする。
【００５６】
更に又、本発明の波長多重通信ネットワークの監視制御システムの第２９の構成は、第２８の構成において、中継器の監視制御信号受信部が、監視制御信号で変調された信号光のみを透過するフィルタを有していることを特徴とする。
【００５７】
【発明の実施の形態】
以下図面に従い本発明の実施の形態を説明する。尚、図において、同一または類似のものには、同一の参照番号又は、参照記号を付して説明する。
【００５８】
又、各実施の形態を説明するに先立って、本発明の理解の容易のために、本発明の基本概念構成を説明する。
【００５９】
図１は、本発明の第１の特徴としての監視制御信号の転送を説明するブロック図である。
ここで監視制御信号転送とは、ある端局が送信した監視制御信号を他の端局が一度受信し、他の端局から中継器へ監視制御信号を転送することを意味する。図１において、４つの端局Ａ〜Ｄには光合分波装置１、２を通して、上りと下り用の一対の光ファイバＯＰＣ１、ＯＰＣ２が接続されている。
【００６０】
例えば、波長Ｗ2 の信号光を監視制御信号で変調し、端局Ａから送信した場合を考えると、、端局Ａ−Ｃ間に配置されている中継器（図示省略されている）にしか監視制御信号を送ることができない。しかし、端局Ｃから監視制御信号を端局Ｄに転送すれば、端局Ｃ−Ｄ間に配置されている中継器（図示省略されている）にもコマンド信号である監視制御信号を送ることが可能になる。
【００６１】
監視制御信号で変調する信号光は、主信号を用いても良く、また監視制御信号専用であっても良い。各端局に監視制御信号を転送する機能を設けることにより監視制御信号を転送が可能である。
【００６２】
図２は、かかる監視制御信号の転送機能を有する端局の概略構成例を示す図である。この例では、監視制御信号は波長ＷD の主信号に重畳されている。端局では、ＷＤＭ信号から監視制御信号で変調された波長ＷD の信号光を分波器１０で波長分離する。他の波長の光は、それぞれ対応する波長の主信号処理部（図示しない）に入力され、各波長に変調された主信号を抽出する。
【００６３】
光分岐回路４において、波長ＷD の光信号から主信号と監視制御信号を分岐し、分岐された主信号は主信号処理部（図示しない）に入力され、監視制御信号は監視制御信号処理部５に入力される。
【００６４】
監視制御信号処理部５において、光電変換器５０により光信号を電気信号に変換し、監視制御信号再生部５１で監視制御信号を再生する。
【００６５】
その後、監視制御信号再生部５１で再生された監視制御信号は、信号処理回路５２で、送信処理部６の所定波長で発光するレーザ７のバイアス電流に重畳される信号に変換される。
【００６６】
したがって、送信処理部６では、バイアス電流に監視制御信号が重畳された駆動電流により波長ＷU で光を発光するレーザダイオードＬＤを駆動する、更に、レーザダイオードＬＤの発光出力は、外部変調器３において、当該端局から送信する主信号で変調される。
【００６７】
次いで、外部変調器３の出力は、合波器１１に入力される。合波器１１は、他の波長の送信処理部からの光信号と、外部変調器３からの入力光を合波して光伝送路に出力する。
【００６８】
かかる構成の端局では、信号処理回路５２から、自らの監視制御信号を発信することも可能である。
【００６９】
更に、本発明の第二の特徴は、監視制御信号が光中継器に到達する範囲を拡大可能とする点にある。即ち、ネットワーク中の全ての光中継器に監視制御信号を送る様に構成することである。
【００７０】
そこで、本発明では任意の端局から送信した監視制御信号がネットワーク全体を通過する様に監視制御信号用の光経路を形成し、これと監視制御信号転送機能を有する端局を組み合わせて、監視制御信号が全ての光中継器を通過する様に光伝送経路を形成するものである。
【００７１】
例として図３に示す如くであり、太線で示される矢印の線が形成された監視制御信号の光経路である。全ての端局を結ぶように伝送路が選ばれ光経路が形成されている。
【００７２】
尚、図３において監視制御信号用の光経路は、主信号用に既に形成されている光経路の中から、全ての伝送路を通過する光経路の組合せを選んでも良く、また監視制御専用に新しく設けてもよい。
【００７３】
この際、▲１▼一本のファイバ中で監視制御信号の光経路が可能な限り重複しないこと、▲２▼各光経路の距離が出来るだけ短いこと、▲３▼使用する波長数が可能な限り少ないこと、更に▲４▼使用する波長が可能な限り同一であること、等の条件を考慮する必要がある。
【００７４】
ここで、信号伝送が可能な波長帯域は、主に光増幅器の利得波長帯域によって制限される。この伝送帯域を有効利用するためには、監視制御に費やす波長多重数は、出来るだけ少ない方が良い。また、監視制御に使用する波長も同一であった方が望ましい。例えば、監視制御信号を受信するために光中継器に光フィルタを使用する場合には、波長が同一であれば、光フィルタの透過波長を全ての中継器で統一することができる。
【００７５】
この様な条件を満たす様に監視制御信号用の光経路を形成することは、特に直線型もしくはリング型のＷＤＭネットワークにおいては容易である。例えば、図３のネットワークでは、波長Ｗ3 、Ｗ4 、Ｗ2 を監視制御信号用に用いているが、これを図４の様に波長を割当てることにより、監視制御用の波長をＷ4 一つに統一することが可能である。
【００７６】
図２１で説明した監視制御信号重畳方式を用いた場合には、監視制御信号用の光経路は主信号用にも使用される。図３と図４のネットワークの例では、主信号に対する光経路は同数となる。すなわち、波長割当ての変更が、主信号の光経路に制約を与える事はないからである。
【００７７】
以下に上記本発明の特徴を実現する実施の形態を説明する。
【００７８】
図５は、本発明の第１の実施の形態を示す概念図である。光合分波装置１、２に端局Ａ〜Ｄが図示省略されている光中継増幅器を通して接続されている。今、端局Ｂ−Ｄ区間にある中継器へ監視制御信号を送る場合、端局Ａから端局Ｂへ監視制御信号を送出する。次いで、端局Ｂから端局Ｂ−Ｄ間の監視すべき光中継増幅器へ監視制御信号を転送する。
【００７９】
ここで、端局Ａから端局Ｂへ監視制御信号を送る方法としては，電気的通信手段を用いる方法が可能である。例えば，ＳＤＨ符号を用いた伝送システムでは, 主信号データの一部を監視用の通信回線（オーダワイヤ）として使用することが可能である。従って、ＷＤＭネットワークにおいて，２端局間に主信号用の通信経路が存在する場合には，オーダワイヤを用いて監視制御信号を転送することが可能である。
【００８０】
図６は、図５の実施の形態に対する実施例ブロック図である。波長多重化（ＷＤＭ）信号のうち波長Ｗ2 の信号光を監視制御信号で変調し，端局Ａから送信する。端局Ｂでは波長Ｗ2 の信号光を波長選択して監視制御信号を受信する。端局Ｂは、更に受信した監視制御信号で波長Ｗ4 の信号光を変調し、他の信号光と合波して送出する。
【００８１】
これにより端局ＡからＢ−Ｄ区間にある中継器（図示省略されている）へ監視制御信号を送ることが可能になる。監視制御信号で変調する信号光は、主信号を用いても良く、また監視制御信号専用のものであっても良い。
【００８２】
従って、 この方式を実現するには中継器に監視制御信号を転送する機能を有する光送受信端局が新たに必要となる。
【００８３】
図７は、光送受信端局においてかかる監視制御信号を転送する機能を実現する構成例のブロック図である。分波器１０、合波器１１と波長変換器３を有する。伝送路から受信した複数の波長Ｗ1 〜Ｗn のＷＤＭ信号から分波器１０において、監視制御信号で変調された波長 (ＷD ) の信号光を分離する。他の波長の信号光は、そのまま他波長の処理部に送られる。
【００８４】
分離された波長ＷD の信号光は，波長変換器３０によりＷU の信号光に変換される。そして、他の波長の処理部からのＷＤＭ信号と合波器１１で波長多重されて伝送路に送出される。波長変換器３０としては，半導体光増幅器を応用した回路等を用いることが可能である。
【００８５】
図８は、上記図７の監視制御信号転送機能を有する光送受信端局の特に波長変換器３の構成例ブロック図である。この端局構成では、図７で説明した様に、ＷＤＭ信号から監視制御信号で変調された波長ＷD の信号光を分波器１０で波長分離する。
【００８６】
監視制御信号が主信号に重畳されている場合には、光分岐回路４により信号光を主信号処理部（図示省略）と監視制御信号処理部５へ分岐する。信号光が監視制御信号専用である場合には、この光分岐回路４は必要ではない。
【００８７】
監視制御信号処理部５では、信号光を光電変換器５０により光電変換する。次いで、電気信号に変換された監視制御信号を監視制御信号受信器５１により受信再生する。更に、受信再生された監視制御信号に対応し、レーザダイオ−ドのバイアス電流に重畳される電流を信号処理回路５２で生成する。
【００８８】
従って、送信処理部６において、監視制御信号に対応する電流がバイアス電流源７０からのバイアス電流に重畳され、波長Ｗu の光を発光するレーザダイオ−ドＬＤを駆動する。これにより、レーザダイオ−ドＬＤは、監視制御信号で強度変調された波長Ｗu の光を出力する。レーザダイオ−ドＬＤからの発光出力は、更に、外部変調器３により主信号で変調され、送信処理部６から出力される。
【００８９】
外部変調器３の出力光は、更に他の波長の信号と合波器１１で合波され、伝送路に送出される。尚、信号処理回路５２は、先の中継器から送られる監視制御信号をそのまま出力し、波長変換のみを行い伝送路に送出されることも可能である。
【００９０】
図９は、上記図８の構成の変形例である。図８では、波長ＷD の受信光が光分岐回路４において分岐され、監視制御信号と主信号とが別個の回路において抽出される構成である。これに対し、図９の構成は、主信号処理部９において、主信号と監視制御信号を抽出する構成である。従って、図８の光分岐回路４を、図９では有していない。
【００９１】
更に、図９の主信号処理部９の構成は、基本的に図８の監視制御信号処理部５の構成と同様である。即ち、図８の監視制御信号処理部５と図９の主信号処理部９において、光電変換器５０と６０、及び信号処理回路５２と６２は、それぞれ同様機能を有する。
【００９２】
更に、図８の監視制御信号受信器５１は、光電変換器５０の変換された電気信号から監視制御信号を受信再生する機能のみであるが、図９の監視制御信号抽出回路６１は、監視制御信号を受信再生する機能に加え、主信号を再生出力する機能を有する。
【００９３】
又、図９において、信号処理回路６２以降の機能動作は、図８におけると同様であるので、再度の説明は省略する。尚、図９において、送信処理部６と合波器１１との間に、光増幅器８が備えられている。これは、レーザダイオード７の発光出力のレベルに応じて必要により備えられるものである。
【００９４】
ここで図８、図９における信号処理回路５２、６２は、ＣＰＵを用いて構成されることが可能である。信号処理回路の機能として、監視制御信号転送の要否を判断し、必要の無い場合には監視制御信号の転送を行わないようにする。
【００９５】
監視制御信号には、どの端局からどの中継器に対し送られた信号であるかを識別する情報が記述される。従って、信号処理回路５２、６２でこの識別情報を読みとり信号光を送出する方向に監視すべき中継器が存在すれば、監視制御信号を転送する。存在しなければ転送を行わない様にすることが可能である。
【００９６】
かかる機能は、各中継器に入力する監視制御信号が重複しないようにするために必要である。
【００９７】
図１０は、ＷＤＭネットワークにおいて、全ての伝送路を通過する光経路の組み合わせを形成し、形成された光経路に監視制御信号で変調された信号光を通過させ、一つの端局からネットワーク中の中継器を監視可能とするＷＤＭネットワークの監視制御を行う一構成例ブロック図である。
【００９８】
図１０において、図６の監視制御の構成を用い、光信号の波長を端局Ａから端局Ｃへは波長Ｗ3 により、端局Ｃから端局Ｂへは波長Ｗ4 により、端局Ｂから端局Ｄへは波長Ｗ2 により、更に端局Ｄから端局Ａへは波長Ｗ4 により監視制御信号が全ての光伝送路を通過するように光経路を設定している。
【００９９】
従って、例えば端局Ａから全ての中継器に監視制御信号を送ることが可能となる。ここで、図１０のように全ての中継器に監視制御信号を送ることが可能とする監視制御信号用の光経路は, 以下の様な条件を満たす必要がある。
【０１００】
▲１▼一本の光ファイバ中で監視制御の光経路が可能な限り重複しないことである。これは、同じ監視制御信号が同じ中継器に二回以上到達するのを防止するためである。
【０１０１】
▲２▼各光経路の距離が出来るだけ短いことである。これは、短距離である方が, 監視制御信号のＳＮＲが良く，受信が容易であるためである。
【０１０２】
▲３▼使用する波長数が可能な限り少ないことである。これは、伝送帯域を有効利用するためである。更に、
▲４▼使用する波長が可能な限り同一であることである。例えば監視制御信号受信のため中継器に光フィルタを使用する場合、波長が同一であれば，光フィルタの中心波長を全ての中継器で統一することができるからである。
【０１０３】
この様な上記条件を満たす様に監視制御信号用の光経路を形成することは、図２３、図２４に関し説明した直線型もしくはリング型のＷＤＭネットワークにおいては比較的容易である。
【０１０４】
次に、かかる監視制御信号用の光経路を形成する実施例について説明する。
【０１０５】
図１１は、その一例であり、後に図１８（ａ）で説明する光合分波装置１、２を用いて構成された両端の端局Ａ、Ｂを含む端局数４個の直線型ＷＤＭネットワークである。隣接する二つの端局を結び、且つ信号が端局ＡからＢに向かって通過する３個の光経路及び、両端の端局Ａ、Ｂを結びかつ信号がＢからＡに向かって通過する一つの光経路を監視制御信号の伝送用に形成する。
【０１０６】
即ち、図１１において端局Ａから隣接の端局Ｃへ、端局Ｃから隣接の端局Ｄへ、端局Ｄから端局Ｂへ、更に端局Ｂから端局Ａに、それぞれ監視制御信号用の光経路が形成される。従って、監視制御信号で変調された信号光は、形成された合計４個の光経路を通過する。
【０１０７】
更に、この様に光経路を形成した場合には、監視制御信号の光波長を同一（図１１の例ではＷ4)にすることが可能である。
【０１０８】
図１２は、図１１の実施例に対し、下り方向即ち、端局Ｂから端局Ａに向かう光経路を直接ではなく、端局Ｄ、Ｃを経由するように形成している。この時、図１２の例では下り方向に波長Ｗ1 が使用される。
【０１０９】
この様に光経路を形成した場合には端局Ａから端局Ｂに向かって信号が通過する３個の光経路の信号光波長をＷd  (図１２ではＷ4)とし、端局Ｂから端局Ａに向かって信号が通過する３個の光経路の信号光波長をＷU  (図１２ではＷ1)とすることにより、監視制御用の信号波長を２波長に限定することが可能である。
【０１１０】
図１１の実施例と比べると必要な波長数が一つ多くなるが, 各光経路の距離を最短にすることが可能である。
【０１１１】
ここで、図１２の構成においては、監視制御用の信号波長を上り、下りに別個の波長を使用しているが、後に説明する図１８（ｂ）の構成の光合分波回路を用いると、端局Ｃ、Ｄと接続される伝送路は、２つのファイバ伝送路が必要となるが、上り方向と下り方向について波長を同じくすることができる。
【０１１２】
図１３は、図１２に対し、更に変更を加えた実施例である。図１２の光経路構成では、監視制御信号に２波長使用する必要がある。監視制御信号が通過する光経路が監視制御信号専用であれば、１波長だけで監視制御信号を全ての光中継器へ送ることが可能である。
【０１１３】
この方法では、図１３に示す様に光経路を形成する。端局から波長Ｗ4 の信号光を監視制御用としている。端局Ａから送出される監視制御用の信号光は、光合分波装置１、２において、電力的に分岐され隣接する２端局Ｂ、Ｃまで導かれる。  また隣接する２端局Ｂ、Ｃから送り出される監視制御用の信号光は、光合分波装置１、２により電力的に結合されて端局Ａに入る。全ての端局でこの様な光経路を採ることにより、１波長だけで監視制御信号を全ての中継器へ送ることが可能となる。
【０１１４】
ここで、図１３における光合分波装置１、２での監視制御用の信号光の分岐、結合を実現する構成例が図１４に示される。図示されるように光分波器１０１〜１０３、光合波器１０４〜１０６及び光カプラ１０７、１０８を有する。
【０１１５】
光ファイバ伝送路により送られる波長Ｗ1 〜Ｗ4 のＷＤＭ光信号は、光分波器１０１においてそれぞれの波長信号に分離される。そのうちの１の波長の光信号、図９に対応させると波長Ｗ4 の光信号が光カプラ１０７で電力的に分岐され、隣接する光合波器１０６に入力される。
【０１１６】
又、光分波器１０３に入力されるＷＤＭ光信号は、それぞれの波長信号に分離される。そのうちの１の波長の光信号が光カプラ１０８に入力し、電力的に分岐され、光合波器１０４及び１０５に入力される。かかる光合分波装置を用いることにより図１３の構成が実現出来る。
【０１１７】
図１５は、複数のファイバ対からなる端局数Ｎの直線型ＷＤＭネットワークにおいて、隣接する２端局を結ぶ上りと下りの光経路（合計２Ｎ−２個）を形成し、上りと下りの回線を異なるファイバ伝送路に割当て、この光経路に監視制御信号で変調された信号光を通過させる実施例である。
【０１１８】
図１５においては、２対の光ファイバペアＯＦＰ１、ＯＦＰ２を用いた例である。端局ｘ−１と端局ｘ−２（ｘ＝Ａ，Ｂ，Ｃ，Ｄ）は同一局に設置される。端局ｘ−１は光ファイバペアＯＦＰ１用、端局ｘ−２は光ファイバペアＯＦＰ２用の端局として使用される。
【０１１９】
また光ファイバペアＯＦＰ１と光ファイバペアＯＦＰ２は、同一のケーブル内に存在する。
【０１２０】
この様に複数のファイバペア線からなる端局数Ｎの直線型ＷＤＭネットワークにおいて、隣接する２端局を結ぶ上りと下りの光経路（合計２Ｎ−２個）を形成し、上りと下りの回線を異なるファイバに割当てる。
【０１２１】
監視制御信号で変調された信号光は、合計Ｎ個の光経路を通過する。図１３の実施例では監視制御信号に２波長使用する必要がある。しかし, 二本のファイバペア線ＯＦＰ１、ＯＦＰ２を使用可能な場合には図１５の様に光経路を形成して監視制御用の信号光波長を同一にすることが可能である。
【０１２２】
尚、上記の直線型ネットワークにおける図１３、図１５の実施例に基づき、リング型のネットワーク上で実現することも容易に可能である。
【０１２３】
更に、上記した各実施例を組合せることにより、少なくとも直線型またはリング型ＷＤＭネットワークにおいて、任意の端局から任意の中継器へ監視制御信号を送ることができる。尚、図１１〜１３、及び図１５において、各端局の太線部分が転送される監視制御信号を表している。
【０１２４】
また、上記実施例において、▲１▼一本のファイバ中で監視制御の光経路が可能な限り重複しない。▲２▼各光経路の距離が出来るだけ短い。▲３▼使用する波長数が可能な限り少ない。更に▲４▼使用する波長が可能な限り同一であるという条件が満たされる。
【０１２５】
ここで監視制御用の信号光は、主信号（データ信号）で変調して、これに重畳するようにしてもよく、また監視制御信号専用とすものであってもよい。主信号用の光経路がフルメッシュ構成( 全ての２端局間が光経路を有する構成) になっている場合には、光経路を主信号伝送にも利用できるため、監視制御信号専用とせずに重畳方式を用いたほうが有効である。
【０１２６】
更に、中継器における監視制御信号の受信感度を向上させるためには、中継器の監視制御信号受信部に光フィルタを装備し、不要な波長成分を除去するのが有効である。この場合には, 監視制御用の信号光を１波長にすることにより光フィルタを用いることが可能になり、またその中心波長を全ての中継器で統一することが可能である。
【０１２７】
ここで、図１２に戻り考察し、先ず端局Ａから端局Ｄ−Ｂ間にある中継器に監視制御信号を送る場合を考える。端局Ａでは，波長Ｗ4 の信号光を監視制御信号で変調して送出する。端局Ｃは波長Ｗ4 の信号光を受信し、再び波長Ｗ4 の信号光を監視制御信号を変調して送出する。即ち、監視制御信号を転送する。
【０１２８】
端局Ｄにおいても端局Ｃと同様に監視制御信号を転送する。この様にして，監視制御信号は端局Ｄ−Ｂ間の中継器に到達する。しかしながら、このままでは端局が永久に監視制御信号を転送しつづけ，中継器には何度も同じ監視制御信号が到達することになる。また，図１２の様に光経路が重複している場合には，監視制御信号が同じ中継器に二回到達する問題が生じる。
【０１２９】
そこで, この問題を解決する一つの方法として識別情報を用いる。即ち、波長Ｗ4 の信号光は端局Ｄ−Ｂ間の中継器に到達した後、端局Ｂに到達する。従って、端局Ｂでは監視制御信号が有する識別情報に基づき、端局Ａから端局Ｄ−Ｂ間の中継器に送られたものであることを認知する。そして、更に監視制御信号を転送することは意味のないことであることを判断し、監視制御信号の転送を停止する。これにより，一つの中継器が二度同じ監視制御信号を受信することは無くなる。
【０１３０】
更に、図１５の構成を考察すると、２対の光ファイバペアが用いられているので一つの中継器に４つの光増幅器が装備される。しかしながら、４つの光増幅器の全てが監視制御信号を受信することは出来ない。従って、この問題を解決するために、図１６の中継器を用いることが可能である。
【０１３１】
即ち、図１６は直接監視制御信号を受信できない中継器の光増幅器においても監視制御信号を受信することを可能とする構成である。一つの光増幅器１１０が監視制御信号を受信すると、その光増幅器１１０から他の光増幅器１１１〜１１３へ監視制御信号を転送する。これにより直接監視制御信号を受信できない光増幅器においても監視制御信号を受信することが可能となる。
【０１３２】
更に、図１７は、監視すべき中継器の配置箇所によって監視制御信号で変調する信号波長を切り替えることが可能な即ち、監視制御信号のルーティングが可能な光送受信端局の構成例である。
【０１３３】
端局Ａ−Ｂ間にある中継器に監視制御信号を送る場合、波長Ｗ2 の信号光を監視制御信号で変調して送出する。また、光合分波装置１−端局Ｃ間にある中継器に監視制御信号を送る場合は、波長Ｗ3 の信号光を監視制御信号で変調して送出する。
【０１３４】
従って、端局Ａ−光合分波装置１の間には波長Ｗ2 とＷ3 の二つの波長が監視制御用に用いることが可能である。この場合、この区間の中継器監視には何方か一方の波長を（図１７の例ではＷ2 ）使用するように、スイッチ２０等により予め設定しておくことが可能である。
【０１３５】
あるいは、中継器が受信すべき監視制御用信号光のみを抽出するための光フィルタを備えるようにすることにより、いずれか一方の波長の信号光だけに注目して監視制御信号を受信することが可能である。これにより中継器に装備する光フィルタの設計、製造が容易である。
【０１３６】
ここで上記詳細に説明した各実施の形態では、光合分波装置を図１８（ａ）に摸式的に示す構成として説明した。即ち、図１８（ａ）では、３組のアッド・ドロップ回路ＡＤＭ１から３を有して構成される。各々のアッド・ドロップ回路は、一例として図１９に示すように構成され、二つの入力端Ｉ１、Ｉ２と二つの出力端Ｏ１、Ｏ２を有する。
【０１３７】
更に、図１９において、アッド・ドロップ回路は、サーキュレータ１００、１０１とファイバグレーティングフィルタ１０２、１０３を有する。ファイバグレーティングフィルタ１０２、１０３は、特定の波長光を反射する性質を有するフィルタである。
【０１３８】
従って、ファイバグレーティングフィルタ１０２、１０３を例えば、波長λ1 の光を反射するように設計すると、４つの波長λ1 〜λ4 の波長多重化信号が入力される時、ファイバグレーティングフィルタ１０２により反射された波長λ1 の入力光がサーキュレータ１００により入力と異なる方向に分岐（ドロップ）される。
【０１３９】
又、サーキュレータ１０１に入力される波長λ1 の光は、ファイバグレーティングフィルタ１０３により反射され、サーキュレータ１０１を通して、波長λ2 〜λ4 の波長多重化信号に挿入（アッド）される。したがって、サーキュレータ１０１の出力として波長λ1 〜λ4 の波長多重化信号が現れる。
【０１４０】
このようなアッド・ドロップ回路を３個用いて、図１８ａのように光分岐回路１を構成すると、先の実施の形態で示されるように、端局Ｃに接続される分岐・挿入伝送路は、１対のファイバ伝送路とすることができる。しかし、かかる場合は、端局Ｃに接続される１対のファイバの伝送路の上りと下りを異なる波長に設定することが必要である。
【０１４１】
これに対し、２つのアッド・ドロップ回路を用いて、図１８（ｂ）に示すように構成すると、端局Ｃに接続される分岐・挿入伝送路は、２対のファイバ伝送路Ｃ１、Ｃ２となるが、端局ＡからＣに進む光（上り方向）と、端局ＣからＡに進む光（下り方向）を同じ一の波長に設定することが可能である。
【０１４２】
更に、上記説明では、主に光合分波装置で信号波長の変換（光クロスコネクトや波長ルーティング）を行わないパッシブなＷＤＭネットワークをモデルシステムとして説明を行った。しかしながら，本発明は，アクティブなＷＤＭネットワークを用いた場合においても同様の効果を得ることが可能である。
【０１４３】
また、上記実施の形態において、直線型及びその組み合わせのネットワークをモデルシステムとして説明を行ったが、これらを基本型とするネットワークであれば、本発明を適用することが可能である。例えば、図２４と同様に、図１１及び図１２の構成とすることでリング型のネットワークでも監視制御信号を任意の端局から中継器に送ることができる。
【０１４４】
【発明の効果】
以上実施の形態について説明したように、本発明によりＷＤＭネットワークにおいて、任意の端局から任意の中継器に監視制御信号を送ることが可能となる。
【０１４５】
また、本発明に従い、監視制御に用いる信号波長の数を２波長以内にすることができ、必要により監視制御用の信号波長を主信号用にも用いることができる。従って、伝送波長帯域を有効に利用できる。
【０１４６】
更に、監視制御に用いる信号波長の数を２波長以内にすることが可能であるため、中継器の監視制御信号受信部に光フィルタを用い、監視制御用の信号光だけを抽出することにより中継器における監視制御信号の受信電力を上昇させることが可能になる。即ち、中継器において監視制御信号の受信が容易になる。
【図面の簡単な説明】
【図１】本発明の第１の特徴としての監視制御信号の転送を説明するブロック図である。
【図２】端局における監視制御信号転送機能を説明する図である。
【図３】監視制御信号が全ての伝送路を通過する様に光経路を形成する一例を示す図である。
【図４】監視制御用の波長の割り当ての一例を示す図である。
【図５】本発明の第１の実施の形態を示す概念図である。
【図６】図５の実施の形態に対する実施例ブロック図である。
【図７】光送受信端局において監視制御信号を転送する機能を実現する原理構成のブロック図である。
【図８】図７の監視制御信号転送機能構成を有する光送受信端局の構成例ブロック図である。
【図９】図７の監視制御信号転送機能構成を有する光送受信端局の別の構成例ブロック図である。
【図１０】一つの端局からネットワーク中の中継器を監視可能とする一構成例ブロック図である。
【図１１】監視制御信号用の光経路を形成する一実施例ブロック図である。
【図１２】図１１の実施例に対し、変更を加えた実施例ブロック図である。
【図１３】図１２の実施例に対し、更に変更を加えた実施例ブロック図である。
【図１４】図１３における光合分波装置１、２での監視制御用の信号光の分岐、結合を実現する構成例である。
【図１５】隣接する２端局を結ぶ上りと下りの光経路を形成し、監視制御信号で変調された信号光を通過させる実施例ブロック図である。
【図１６】直接監視制御信号を受信できない中継器の光増幅器においても監視制御信号を受信することを可能とする構成例ブロック図である。
【図１７】監視制御信号のルーティングが可能な光送受信端局の構成例ブロック図である。
【図１８】各実施の形態での、光合分波装置の構成例を説明する図である。
【図１９】図１８の光合分波装置を構成する光ＡＤＭの構成例ブロック図である。
【図２０】ポイント・ツー・ポイント（POINT TO POINT）型の伝送路構成を説明する図である。
【図２１】監視制御信号の重畳方式における光増幅中継器の一動作例を説明する図である。
【図２２】監視制御信号の波長多重方式における光増幅中継器の一動作例を説明する図である。
【図２３】波長多重（ＷＤＭ）技術を用いてネットワーク化された直列型の光伝送システムの一例を示す図である。
【図２４】波長多重（ＷＤＭ）技術を用いてネットワーク化されたリング型の光伝送システムの一例を示す図である。
【図２５】図２３の光伝送システムにおける監視制御信号の通過経路の一例を示す図である。
【図２６】図２３の光伝送システムにおける監視制御信号の通過経路の他の例を示す図である。
【図２７】図２３の光伝送システムにおける監視制御信号の通過経路の更に他の例を示す図である。
【符号の説明】
１、２  光合分波装置
ＯＰＣ１，ＯＰＣ２  光ファイバペア
３  変調器
４  光分波回路
５  監視制御信号処理部
５０、６０  光電変換器
５１、６１  監視制御信号再生部
５２、６２  信号処理回路
６  主信号処理部
７  レーザダイオード
８  光増幅器
１０  分波器
１１  合波器
【図１】
0003775890.tif 000002
【図２】
0003775890.tif 000003
【図３】
0003775890.tif 000004
【図４】
0003775890.tif 000005
【図５】
0003775890.tif 000006
【図６】
0003775890.tif 000007
【図７】
0003775890.tif 000008
【図８】
0003775890.tif 000009
【図９】
0003775890.tif 000010
【図１０】
0003775890.tif 000011
【図１１】
0003775890.tif 000012
【図１２】
0003775890.tif 000013
【図１３】
0003775890.tif 000014
【図１４】
0003775890.tif 000015
【図１５】
0003775890.tif 000016
【図１６】
0003775890.tif 000017
【図１７】
0003775890.tif 000018
【図１８】
0003775890.tif 000019
【図１９】
0003775890.tif 000020
【図２０】
0003775890.tif 000021
【図２１】
0003775890.tif 000022
【図２２】
0003775890.tif 000023
【図２３】
0003775890.tif 000024
【図２４】
0003775890.tif 000025
【図２５】
0003775890.tif 000026
【図２６】
0003775890.tif 000027
【図２７】
0003775890.tif 000028